(57)【要約】      （修正有）【課題】フックの取り出し操作が判りやすく、しかも、手間なく簡単に物をフックに掛けることのできる物掛け具を提供する。【解決手段】物掛け具は、ケース１０の正面４５に釦穴１５とフック収納凹部１６を並べて開口し、釦穴内に押釦３０を正面の出入口１５ａから頭部３０ａを出没自在に嵌合し、フック収納凹部には、フック２０を、フック付勢ばね２５で収納位置へ常時回動付勢して保持し、この押釦とフックの背面側で、リンクレバー４０を回動可能に梃軸４２でケース１０内に軸着し、常時は、リンクレバーの第１作用部４０ｂがフックに押されると、梃軸を支点に一方向に回動する結果、起き上がる第２作用部４０ｃで押釦を押し、頭部が釦穴から突出する釦位置表示状態で保持する一方、物掛け時に、押釦が押し込まれて第２作用部を押されると、梃軸を支点に他方向に回動する結果、起き上がる第１作用部でフックを押し回して物掛け位置に突出させる。【選択図】図１
0003142083.tif 000002
【実用新案登録請求の範囲】
【請求項１】
深さ方向一側の正面に釦穴とフック収納凹部を並べて開口し、前記釦穴が上側の縦向きで、正面を表面に沿わせた嵌め込み状態で構造物に取り付けるケースと、
該ケースの前記フック収納凹部内に納まる収納位置と、先端側が上向きの傾き状態で前記フック収納凹部から突出する物掛け位置との間を回動可能に枢軸で前記ケース内に軸着するフックと、
該フックを、常時は収納位置に向けて回動付勢して前記フック収納凹部内に保持するフック付勢ばねと、
前記釦穴内に、その正面の出入口から頭部を出没自在に嵌合する押釦と、
該押釦と前記フックの背面側において回動可能に梃軸で前記ケース内に軸着し、常時は、収納位置へ回動付勢される前記フックに第１作用部が押されると、前記梃軸を支点に一方向に回動する結果、起き上がる第２作用部で前記押釦を押し、その頭部が前記釦穴から突出する釦位置表示状態で保持する一方、物掛け時に、該押釦が押し込まれて前記第２作用部を押されると、前記梃軸を支点に他方向に回動する結果、起き上がる前記第１作用部で前記フックを押し回して物掛け位置へ突出させるリンクレバーと、
を備えてなることを特徴とする、物掛け具。
【請求項２】
前記リンクレバーを、前記第２作用部が前記押釦に常時押し当る向きに回動付勢するレバー付勢ばねを備えてなることを特徴とする、請求項１に記載の物掛け具。
【請求項３】
前記フックを、前記フック付勢ばねの付勢力で回動させて前記フック収納凹部内の収納位置に収納するとき、その収納位置で前記フックに当てて衝撃を緩衝すると共に、該フックを収納位置で制止して位置決め保持するクッション材を、前記リンクレバーに備えてなることを特徴とする、請求項１又は２に記載の物掛け具。
【考案の詳細な説明】
【技術分野】
【０００１】
本考案は、例えば新幹線車内の壁や座席等に備え、衣類やバッグや手提げ荷物など、吊り下げ可能な物をフックに掛けて吊り下げる物掛け具で、特に、フックを常時はケース内に収納する一方、使用時に押し回して先端側が上向きに傾いた物掛け状態に取り出して物を掛ける物掛け具に関する。
【背景技術】
【０００２】
従来、この種の物掛け具の中には、例えば図１４に示すように、正面２ａにアーム状のフック１を取り出す開口２ｂを有したケース２を、その正面２ａが壁面３ａに沿った嵌め込み状態で壁パネル３に取り付け、このケース２内に枢軸４でフック１を回動自在に軸着し、常時は付勢ばね５で回動付勢してケース２内に収納する一方、使用時に、基端側に有した凸状の押圧部１ａを押し、フック１を、図中鎖線で示す先端側が上向きに傾いた物掛け位置まで回動させてケース２内から手前に取り出し、この物掛け状態のフック１に、例えば手提げ荷物の手提げ部分６を掛けて吊り下げる構造にしたものがある。
【特許文献１】特開平１０−８５１１６号公報
【特許文献２】実開平４  −３５９４６号公報
【考案の開示】
【考案が解決しようとする課題】
【０００３】
ところが、上述した従来の物掛け具は、押圧部１ａを押せば、フック１が回動してケース２内から手前に物掛け状態で取り出される構造になっているが、フック１自体に凸状部分を一体に設けて押圧部１ａを形成するだけであるため、その凸状部分がフック１を取り出す押し位置であるとは、中々判り難く、その結果、高齢者や身障者など人によって、或いは、忙しくて急いでいるなど、状況によっては、即座には押し位置に気が付かず、気が付くまでに時間がかかり、そのうちイライラして面倒となり、場合によっては、押し位置が見つからないために、結局、フック１を取り出せず、手提げ荷物等をフック１に掛けられずに終わる虞があった。
【０００４】
また、従来の物掛け具では、手提げ荷物などをフック１に掛ける場合は、先ず、（１）片手で押圧部１ａを押してフック１を回動し、物掛け状態に手前に取り出す。次いで、（２）そのまま片手で押圧部１ａを押しながら、他方の手でフック１に手提げ荷物を掛ける、という両手を使った２つの動作が少なくとも必要となり、高齢者や不器用な人にとっては、物掛け作業に手間がかかり、面倒であるという課題もあった。
【０００５】
そこで、本考案の目的は、フックの取り出し操作が判りやすく、しかも、手間なく簡単に物をフックに掛けることのできる物掛け具を提供することにある。
【課題を解決するための手段】
【０００６】
そのため、請求項１に記載の考案は、たとえば以下に示す図示実施の形態のとおり、深さ方向一側の正面４５に釦穴１５とフック収納凹部１６を並べて開口し、前記釦穴１５が上側の縦向きで、正面４５を表面に沿わせた嵌め込み状態で構造物に取り付けるケース１０と、該ケース１０の前記フック収納凹部１６内に納まる収納位置と、先端側が上向きの傾き状態で前記フック収納凹部１６から突出する物掛け位置との間を回動可能に枢軸２６で前記ケース１０内に軸着するフック２０と、該フック２０を、常時は収納位置に向けて回動付勢して前記フック収納凹部１６内に保持するフック付勢ばね２５と、前記釦穴１５内に、その正面の出入口１５ａから頭部３０ａを出没自在に嵌合する押釦３０と、該押釦３０と前記フック２０の背面側において回動可能に梃軸４２で前記ケース１０内に軸着し、常時は、収納位置へ回動付勢される前記フック２０に第１作用部４０ｂが押されると、前記梃軸４２を支点に一方向に回動する結果、起き上がる第２作用部４０ｃで前記押釦３０を押し、その頭部３０ａが前記釦穴１５から突出する釦位置表示状態で保持する一方、物掛け時に、該押釦３０が押し込まれて前記第２作用部４０ｃを押されると、前記梃軸４２を支点に他方向に回動する結果、起き上がる前記第１作用部４０ｂで前記フック２０を押し回して物掛け位置へ突出させるリンクレバー４０と、を備えてなることを特徴とする。
【０００７】
請求項２に記載の考案は、請求項１に記載の物掛け具において、たとえば以下に示す図示実施の形態のとおり、前記リンクレバー４０を、前記第２作用部４０ｃが前記押釦３０に常時押し当る向きに回動付勢するレバー付勢ばね５５を備えてなることを特徴とする。
【０００８】
請求項３に記載の考案は、請求項１又は２に記載の物掛け具において、たとえば以下に示す図示実施の形態のとおり、前記フック２０を、前記フック付勢ばね２５の付勢力で回動させて前記フック収納凹部１６内の収納位置に収納するとき、その収納位置で前記フック２０に当てて衝撃を緩衝すると共に、該フック２０を収納位置で制止して位置決め保持するクッション材３５を、前記リンクレバー４０に備えてなることを特徴とする。
【考案の効果】
【０００９】
請求項１に記載の考案によれば、（１）常時は、フック付勢ばねの回動付勢力で下側の第１作用部がフックに押圧されるため、てこの原理に基づいて、リンクレバーは梃軸を支点として一方向に回動する結果、上側の第２作用部が起き上がって押釦を押し、その頭部が正面の釦穴から突出する釦位置表示状態で保持する構成であるため、フックの上方で釦位置表示状態で目立って突出する押釦を見れば、たとえ高齢者や忙しくて急いでいる状況にある人であっても、この押釦がプッシュ操作位置であることに即座に気が付きやすく、それだけフックの取り出し操作を判りやすくすることができる。更に、（２）本考案の物掛け具を使って、例えば手提げ荷物をフックに掛けて吊り下げる場合は、手提げ部分を片手で持って、正面から手提げ部分で押釦を押すと、この押釦に上側の第２作用部を押されてリンクレバーは梃軸を支点として他方向に回動する結果、てこの原理に基づき、起き上がる下側の第１作用部でフックを押し回して物掛け位置へ突出させ、次いで、そのまま片手で手提げ部分を摺り下ろしてフックに掛ければ、手提げ荷物が吊り下げられる。以って、本考案の物掛け具では、手提げ荷物などを、釦位置表示状態で出する押釦を押してから、そのまま摺り下ろす１つの一連動作だけで、簡単にフックに掛けて吊り下げることができる。
【００１０】
請求項２に記載の考案によれば、リンクレバーは、レバー付勢ばねの付勢力に基づいて第２作用部が常に押釦に押し当たる状態でケース内に組み込まれる構成であるため、リンクレバーに振動や衝撃などの外力が加わることがあっても、ガタ付くことがなく、動作精度を向上させることができ、しかも、ガタツキに基づく騒音の発生も防止することができる。
【００１１】
請求項３に記載の考案によれば、リンクレバーには、フックをフック付勢ばねの付勢力で回動させてフック収納凹部内の収納位置に収納するとき、その収納位置でフックに当てて衝撃を緩衝すると共に、フックを収納位置で制止して位置決め保持するクッション材を備えるため、使用時、フックがリンクレバーに突き当たる衝撃をクッション部材で緩衝して衝撃音の発生を抑制すると共に、常時は出っ張ることなく、フック全体をフック収納凹部内に納めて見栄えも向上させることができる。
【考案を実施するための最良の形態】
【００１２】
以下、図面を参照しつつ、本考案の最良の実施形態について詳細に説明する。
【００１３】
図１には、本考案による物掛け具の内部構造をフックの収納状態、取り出し途中状態、物掛け状態の３段階に分けて示し、図２は、本考案の物掛け具の分解斜視図である。図２中符号Ｐは、物掛け具を付設する構造物、例えば新幹線車内の壁面を形成する外装パネルを示す。外装パネルＰには、図示物掛け具の後述するケース１０の本体部１１に合わせた穴形状に取付穴ｈが開けられている。
【００１４】
本考案の物掛け具Ｆは、図１および図２に示すように、ケース１０に、物を引っ掛けるフック２０と、フック２０を出し入れ操作する押釦３０と、押釦３０とフック２０の動作を連携するリンクレバー４０を備えて構成してなる。
【００１５】
ケース１０は、樹脂材料で一体成形し、全体に細長い箱形で両端が対称に湾曲した本体部１１と、本体部１１の深さ方向一側に有する鍔状の正面板部１２とからなる。本体部１１は、深さ方向他側の両端に取付段部１１ａを形成し、対向する側面板部１１ｂには、長さ方向両端に梃軸穴１３とフック軸穴１４を設けてなる。正面板部１２は、本体部１１の周縁に沿って環状に抜け止め用の鍔状部分を形成している。このケース１０は、本体部１１の背面板１１ｃの長さ方向両端側を開口する一方、背面板１１ｃの図中下側の開口縁をストッパ部１１ｄとして形成し、ストッパ部１１ｄの背面側にばね掛け凹部１７を設けてなる。他方、正面板部１２は、押釦３０に合わせて丸い筒穴状の釦穴１５と、フック２０に合わせて細長いフック収納凹部１６を並べて開口している。釦穴１５には、正面の出入口１５ａとは反対の背面側に、押釦３０を抜け止める段状部１５ｂを形成してなる。
【００１６】
フック２０は、樹脂材料で、全体にやや湾曲した細長い箱状に成形する一方、先端に爪状突部２０ａを凸設する一方、基端２０ｂには、対向する側片２０ｃを切り欠いて係止凹部２０ｄを凹設している。また、基端２０ｂには、対向側片２０ｃを貫通する軸穴２４が設けられている。このフック２０は、ねじりコイルばね製のフック付勢ばね２５を枢軸２６に巻装し、枢軸２６の両端を軸穴２４に通して対向側片２０ｃで軸支して組み立ててなる。
【００１７】
押釦３０は、樹脂材料で、頭部３０ａが半球状で全体に豆円柱状に成形する一方、基部側に一段太径な環状の拡径部３０ｂを設けてなる。この押釦３０は、ケース１０の釦穴１５に、頭部３０ａが正面の出入口１５ａにおいて出没自在に嵌合し、拡径部３０ｂを段状部１５ｂに当てることで、抜け止め規制してケース１０に組み付けてなる。
【００１８】
リンクレバー４０は、樹脂材料で全体に細長に成形し、軸穴３３の貫通したローラ状の支点部４０ａと、支点部４０ａから一側に伸びる長尺側の第１作用部４０ｂと、第１作用部４０ｂに対し傾けて反対向きに伸びる短尺側の第２作用部４０ｃとからなる。第１作用部４０ｂは、先端に向け次第に薄肉に形成すると共に、支点部４０ａ寄りにピン穴４１を厚さ方向に穿設し、ピン穴４１に軸部３５ａを圧入してクッション材３５を付設し、第２作用部４０ｃ側より重く形成してなる。クッション材３５は、例えばゴム製で、頭部３５ｂが半球状のクッションピンからなる。このリンクレバー４０は、支点部４０ａの軸穴３３に梃軸４２を係合し、押釦３０の背面側で、梃軸４２の両端軸部を梃軸穴１３に通して側面板部１１ｂで軸支してケース１０に回動可能に軸着する。
【００１９】
一方、フック２０は、枢軸２６の両端軸部をフック軸穴１４に通して側面板部１１ｂで軸支してケース１０に回動可能に軸着し、フック付勢ばね２５の一端２５ａを基端２０ｂに掛ける一方、他端２５ｂを本体部１１のばね掛け凹部１７に掛けてケース１０に組み付ける。すると、フック２０は、フック付勢ばね２５のばね付勢力によって、フック収納凹部１６内の収納位置に向けて回動し、図１（ａ−１，ａ−２）に示すように、全体がフック収納凹部１６内に納まった状態でケース１０に組み込まれる。この組み立て時、フック２０は、爪状突部２０ａがクッション部材３５の頭部３５ｂに突き当たってから、リンクレバー４０の支点部４０ａとの間に係止する。そのため、フック２０は、リンクレバー４０に突き当たる衝撃をクッション部材３５によって緩衝され、同時に収納位置に制止されて、そこに位置決め保持される。即ち、フック２０は、フック収納凹部１６の開口１６ａから表面４５が出っ張ることなく、ケース１０の正面板部１２と面一の状態で、見栄えよくフック収納凹部１６内に納まって保持される。他方、リンクレバー４０は、収納位置へ向けて回動付勢されるフック２０に第１作用部４０ｂが押圧され、すると、てこの原理に基づいて、リンクレバー４０が梃軸４２を支点として一方向へ回動する結果、第２作用部４０ｃが起き上がって押釦３０を押し、図３（ａ）・図４（ａ）に示すように、押釦３０は、頭部３０ａが釦穴１５から突出した釦位置表示状態で保持される。以って、図示物掛け具は組み立てられてなる。
【００２０】
従って、図示物掛け具において、この押釦３０を押されると、リンクレバー４０の第２作用部４０ｃが押し込まれるが、すると今度、リンクレバー４０は、図１（ｂ）に示すように、梃軸４２を支点として他方向に回動する結果、第１作用部４０ｂが起き上がってフック２０を押し、該フック２０を、枢軸２６を支点に回動させながら、図３（ｂ）・図４（ｂ）に示すように、フック収納凹部１６から物掛け位置へ向けて突出する。それから、フック２０は、図１（ｃ）に示すように、係止凹部２０ｄがケース１０のストッパ部１１ｄに係止すると、所定の回動角度、例えば６０度開いた物掛け位置で制止し、図３（ｃ）・図４（ｃ）に示すように、先端が上向きに傾いた物掛け状態に位置決め保持される。しかる後、押釦３０の押圧を解除すると、フック付勢ばね２５の回動付勢力が働いて、第１作用部４０ｂがフック２０に押圧されるため、リンクレバー４０は、てこの原理に基づいて、梃軸４２を支点にして一方向へ回動し、第２作用部４０ｃが起き上がって押釦３０を押し、頭部３０ａが釦穴１５から突出する釦位置表示状態に自動復帰する構造になっている。
【００２１】
上述した構造の図示物掛け具は、例えば外装パネルＰに取り付けるとき、釦穴１５が上側の縦向きとし、正面側から、ケース１０の本体部１１を取付穴ｈに嵌め込み、正面板部１２を開口縁に張り合わせて、正面４５を壁面に沿わせた嵌め込み状態にしてから、背面側から段付きの固定金具４９を取付段部１１ａに当てがって、外装パネルＰにねじ止めする。
【００２２】
さて、図示物掛け具を使って、例えば手提げ荷物をフック２０に掛けて吊り下げる場合は、手提げ部分を片手で持ち、図５（ａ）・図６（ａ）に示すように、手提げ部分５０を押釦３０へ向けて、図５（ｂ）・図６（ｂ）に示すように、手提げ部分５０を押釦３０に当てて釦穴１５内に押し込む。すると、図１（ｂ）に示すように、リンクレバー４０が第２作用部４０ｃを押釦３０に押されて、梃軸４２を支点として他方向に回動する結果、てこの原理に基づいて、起き上がる第１作用部４０ｂでフック２０を押して枢軸２６を支点に回動し、図３（ｂ）・図４（ｂ）でも示すように、フック収納凹部１６から手前の物掛け位置へ突出させる。次いで、図５（ｃ）・図６（ｃ）に示すように、そのまま片手で手提げ部分５０を摺り下ろしてフック２０に掛けてから、更に押し下げてフック２０を回動する。そして、図１（ｃ）に示すように、係止凹部２０ｄがストッパ部１１ｄに係止すると、フック２０は、先端が上向きに傾いた物掛け位置で制止し、手提げ荷物は吊り下げられる。以って、図示物掛け具では、手提げ荷物を、手提げ部分５０で押釦３０を押してから、そのまま摺り下ろす１つの一連動作で、簡単にフック２０に手提げ荷物を掛けて吊り下げることができる。
【００２３】
一方、図示物掛け具では、この手提げ荷物の吊り下げ時、押釦３０から手提げ部分５０を摺り下ろしたとき、押釦３０の押圧は解除されるが、そのときには、同時に、図１（ｃ）に示す如く、リンクレバー４０が、第２作用部４０ｃ側より重い第１作用部４０ｂ側の重さに基づいて梃軸４２を支点に一方向へ回動する結果、起き上がる第２作用部４０ｃで押釦３０を押し出し、頭部３０ａが釦穴１５から突出した釦位置表示状態に自動復帰している。
【００２４】
ところで、本考案では、図７〜図９に示すとおり、フック２０を回動付勢するフック付勢ばね２５とは別に、リンクレバー４０を回動付勢するレバー付勢ばね５５を備え、そのレバー付勢ばね５５の付勢力で第２作用部４０ｃを常に押釦３０に押し当てて、リンクレバー４０がガタ付くことなく押釦３０の出没動作と適確に連動するように構成することもできる。
【００２５】
この他の実施形態では、図８・図９に示すように、ケース１０の背面板１１ｃの図中上側の開口縁に、ばね掛け凹部５６を設ける。一方、リンクレバー４０は、例えばねじりコイルばね製のレバー付勢ばね５５を梃軸４２に巻装し、梃軸４２を支点部４０ａの軸穴３３に係合し、押釦３０の背面側で梃軸４２の両端軸部を梃軸穴１３に通して側面板部１１ｂで軸支してケース１０に回動可能に軸着する。レバー付勢ばね５５は、一端５５ａを支点部４０ａに掛ける一方、他端５５ｂを本体部１１のばね掛け凹部５６に掛け止める。すると、リンクレバー４０は、レバー付勢ばね５５のばね付勢力で第２作用部４０ｃが押釦３０に押し当る向きに回動付勢され、第２作用部４０ｃが常に押釦３０の基部に押し当たる状態でケース１０内に組み込まれてなる。従って、リンクレバー４０は、振動や衝撃などの外力を受けることがあっても、ガタ付くことがなく、押釦３０の出没動作と常に適確に連動し、しかも、ガタツキに基づく騒音の発生を防止することができる。
【００２６】
なお、以上の物掛け具は、例えば外装パネルＰに取り付けるとき、ケース１０の本体部１１の背面側から、段付きの固定金具４９を介して外装パネルＰにねじ止めしたが、本考案の物掛け具は、図１０〜図１３に示すように、ケース１０の本体部１１の正面側から、外装パネルＰに取り付ける構成にすることもできる。
【００２７】
この更なる別の実施形態では、ケース１０の本体部形状に合わせて、浅底な矩形箱状の取付凹部６１を形成した取付ブラケット６０を用い、この取付ブラケット６０を介して正面側から外装パネルＰに図示物掛け具を取り付ける。取付ブラケット６０には、取付凹部６１の背面板部６０ａに雌ねじ穴６２を螺設する。一方、図示物掛け具には、背面板１１ｃに雌ねじ穴６２と対応するねじ取付穴６３を穿設する。更に、リンクレバー４０には、第１作用部４０ｂにおける雌ねじ穴６２・ねじ取付穴６３と対応する位置に、キャップ穴６４を穿設した構成になっている。
【００２８】
図示別例の物掛け具では、例えば外装パネルＰに取り付ける場合に、止めねじ６５として皿小ねじを用い、クッション部材として、例えばゴム製のクッションキャップ６６を用いる。そこで、まず釦穴１５が上側の縦向きとし、正面側から、ケース１０の本体部１１を取付凹部６１に嵌め込み、正面板部１２を開口縁に張り合わせて、正面を壁面に沿わせて嵌め込み、更に、フック２０をフック収納凹部１６から手前に押し倒し、いったん物掛け状態にしてから、止めねじ６５をキャップ穴６４からねじ取付穴６３に通して雌ねじ穴６２に捩じ込み、物掛け具を外装パネルＰに固着する。それから、キャップ穴６４にクッションキャップ６６を嵌め込んでから、フック２０を、フック付勢ばね２５の付勢力で回動させてフック収納凹部１６内の収納位置に戻し、以って、図示別例の物掛け具の取り付けを終える。
【図面の簡単な説明】
【００２９】
【図１】本考案の一例である物掛け具の内部構造を、フックの収納状態と取り出し途中と物掛け状態の３段階に分けて示し、（ａ−１）はフックが収納状態の正面図、（ａ−２）は収納状態のＡ−Ａ断面図、（ｂ）は取り出し途中の縦断面図、（ｃ）は物掛け状態の縦断面図である。
【図２】本考案の物掛け具の分解斜視図である。
【図３】物掛け具をフックが収納状態と取り出し途中と物掛け状態の３段階（ａ・ｂ・ｃ）に分けて示す斜視図である。
【図４】物掛け具をフックが収納状態と取り出し途中と物掛け状態の３段階（ａ・ｂ・ｃ）に分けて示す側面図である。
【図５】物掛け具を使い、押釦を押して手提げ荷物をフックに掛けるまでの状態を３段階（ａ・ｂ・ｃ）に分けて示す斜視図である。
【図６】物掛け具を使い、押釦を押して手提げ荷物をフックに掛けるまでの状態を３段階（ａ・ｂ・ｃ）に分けて示す側面図である。
【図７】本考案の他例である物掛け具の分解斜視図である。
【図８】他例である物掛け具の内部構造を、フックが収納状態と取り出し途中と物掛け状態の３段階に分けて示し、（ａ−１）はフックが収納状態の正面図、（ａ−２）は収納状態のＡ−Ａ断面図、（ｂ）は取り出し途中の縦断面図、（ｃ）は物掛け状態の縦断面図である。
【図９】他例の物掛け具をフックが収納状態と取り出し途中と物掛け状態の３段階（ａ・ｂ・ｃ）に分けて示す側面図である。
【図１０】本考案の別例である物掛け具の分解斜視図である。
【図１１】別例の物掛け具の外観斜視図である。
【図１２】別例の物掛け具の内部構造をパネル取付状態で示す縦断面図である。
【図１３】パネルに取り付けた別例の物掛け具をフックの取り出し状態で示す斜視図である。
【図１４】従来の物掛け具の内部構造を示す縦断面図である。
【符号の説明】
【００３０】
１０            ケース
１１            本体部
１２            正面板部
１５            釦穴
１６            フック収納凹部
２０            フック
２５            フック付勢ばね
２６            枢軸
３０            押釦
３５            クッション部材
４０            リンクレバー
４０ｂ          第１作用部
４０ｃ          第２作用部
４２            梃軸
５５            レバー付勢ばね
【図１】
0003142083.tif 000003
【図２】
0003142083.tif 000004
【図３】
0003142083.tif 000005
【図４】
0003142083.tif 000006
【図５】
0003142083.tif 000007
【図６】
0003142083.tif 000008
【図７】
0003142083.tif 000009
【図８】
0003142083.tif 000010
【図９】
0003142083.tif 000011
【図１０】
0003142083.tif 000012
【図１１】
0003142083.tif 000013
【図１２】
0003142083.tif 000014
【図１３】
0003142083.tif 000015
【図１４】
0003142083.tif 000016